(57)【要約】    【課題】可変入賞口の奥壁及び取り付け板の可変入賞口の周辺部分を発光させて、きらびやかさに優れた視覚的な演出をできるようにする。    【解決手段】可変入賞手段１５は、遊技盤９の前面に当接する取り付け板１９と、取り付け板１９側が開口する可変入賞口４０と、可変入賞口４０の開口３１を開閉し且つ開放時に遊技球を可変入賞口４０へと案内する開閉扉３２と、開閉扉３２を開閉駆動する駆動手段３９とを有し、取り付け板１９に開口３１の周辺に光透過部４２ａ，４２ｂ，４２ｃを設け、可変入賞口４０の奥に開口３１に対向して配置された奥壁３４を光透過性部材により構成し、光透過部４２ａ，４２ｂ，４２ｃ及び奥壁３４の略全面に光を照射する発光体３６が装着された発光基板３７を奥壁３４の裏側に配置する。【選択図】    図５
2011131099.tif 000002
【特許請求の範囲】
【請求項１】
遊技盤（９）の前面に当接する取り付け板（１９）と、該取り付け板（１９）側が開口する可変入賞口（４０）と、該可変入賞口（４０）の開口（３１）を開閉し且つ開放時に遊技球を該可変入賞口（４０）へと案内する開閉扉（３２）と、該開閉扉（３２）を開閉駆動する駆動手段（３９）とを含む可変入賞手段（１５）を前記遊技盤（９）に備えた弾球遊技機において、前記取り付け板（１９）の前記開口（３１）の周辺に光透過部（４２ａ，４２ｂ，４２ｃ）を設け、前記可変入賞口（４０）の奥に前記開口（３１）に対向して配置された奥壁（３４）を光透過性部材により構成し、前記光透過部（４２ａ，４２ｂ，４２ｃ）及び前記奥壁（３４）の略全面に光を照射する発光体（３６）が装着された発光基板（３７）を前記奥壁（３４）の裏側に配置したことを特徴とする弾球遊技機。
【請求項２】
前記取り付け板（１９）の前記開口（３１）の左右両側と下側とに前記光透過部（４２ａ，４２ｂ，４２ｃ）を設けたことを特徴とする請求項１に記載の弾球遊技機。
【請求項３】
下側の前記光透過部（４２ｃ）の裏側に対応する前記可変入賞口（４０）の底壁（５０ｇ）と、該底壁（５０ｇ）よりも奥の前記奥壁（３４）とを光透過性部材により一体に構成したことを特徴とする請求項１又は２に記載の弾球遊技機。
【請求項４】
前記発光基板（３７）は前記奥壁（３４）に対応する発光体（３６）と、前記光透過部（４２ａ，４２ｂ，４２ｃ）に対応する前記発光体（３６）とを有することを特徴とする請求項１〜３の何れかに記載の弾球遊技機。
【請求項５】
前記開口（３１）の下側の前記光透過部（４２ｃ）に対応する発光体（３６）相互間の間隔を、他の部分の前記発光体（３６）相互間よりも小さくしたことを特徴とする請求項４に記載の弾球遊技機。
【請求項６】
前記開閉扉（３２）の左右方向の一端側に対応して前記発光基板（３７）の下部に切り欠き部（３７ｂ）を設け、前記開閉扉（３２）と前記駆動手段（３９）とを連動させる連動手段（３８）を前記切り欠き部（３７ｂ）内に配置したことを特徴とする請求項１〜５の何れかに記載の弾球遊技機。
【請求項７】
前記駆動手段は前記発光基板（３７）の裏側に配置された駆動ソレノイド（３９）から成り、前記連動手段（３８）は前記発光基板（３７）の裏側で前記駆動ソレノイド（３９）の可動鉄心（６２）よりも下側の左右方向の支軸（６６）により枢支された前後方向の連動部材（６４）を有し、該連動部材（６４）の後端部に前記可動鉄心（６２）と係合する被係合部（６４ｂ）を、前端部に前記開閉扉（３２）の裏側基部の被係合部（３２ｂ）と係合する係合部（６４ｃ）とを設けたことを特徴とする請求項６に記載の弾球遊技機。
【請求項８】
前記発光基板（３７）を覆う裏カバー（４９）に、該裏カバー（４９）の後壁（４９ａ）から後方に突出し且つ上方から落下する遊技球を後方へと案内する案内部（７２）を備え、前記裏カバー（４９）の前記案内部（７２）の下側に、前記発光基板（３７）のハーネスの取り出し口（７３）を形成したことを特徴とする請求項１〜７の何れかに記載の弾球遊技機。
【発明の詳細な説明】
【技術分野】
【０００１】
本発明は、パチンコ機、アレンジボール機等の弾球遊技機に関し、可変入賞手段の可変入賞口内部を発光させるようにしたものである。
【背景技術】
【０００２】
パチンコ機等の弾球遊技機では、遊技盤の遊技領域に特別図柄始動手段、特別図柄表示手段、可変入賞手段等を配置し、特別図柄始動手段が遊技球を検出することを条件に特別図柄表示手段が所定時間変動動作を行い、その変動後の特別図柄が大当たり態様となったときに可変入賞手段が開放し、所定時間又は所定数の遊技球が入賞するまで開放する開閉動作を１ラウンド又は複数の所定ラウンド数繰り返すようにしたものがある。
【０００３】
この種の可変入賞手段には、開閉扉により開閉される可変入賞口の奥壁を光透過性とし、この奥壁の裏側に複数の発光体を有する発光基板を配置し、その発光体からの光を奥壁に照射して奥壁を発光させるようにしたものがある（特許文献１）。
【先行技術文献】
【特許文献】
【０００４】
【特許文献１】特開２００１−３４６９６１号公報
【発明の概要】
【発明が解決しようとする課題】
【０００５】
この可変式入賞手段では、発光体からの光により奥壁が発光するため、その発光により視覚的な演出効果を期待でき、また可変入賞口の内部を照明することができる。
【０００６】
しかし、従来は可変入賞口の開口幅に対応して奥壁が左右方向に長いにも拘わらず、その奥壁の左右方向の略中央部に発光基板を配置しており、発光部分が奥壁の中央部分に限定されているため、視覚的な演出とは云えどもきらびやかさに欠け、また可変入賞口の内部を十分に照明できないという問題がある。
【０００７】
本発明は、このような従来の問題点に鑑み、可変入賞口の奥壁及び取り付け板の可変入賞口の周辺部分を発光させることができ、きらびやかさに優れた視覚的な演出効果を期待できると共に、可変入賞口の内部の照明効果も向上する可変入賞手段を備えた弾球遊技機を提供することを目的とする。
【課題を解決するための手段】
【０００８】
本発明は、遊技盤９の前面に当接する取り付け板１９と、該取り付け板１９側が開口する可変入賞口４０と、該可変入賞口４０の開口３１を開閉し且つ開放時に遊技球を該可変入賞口４０へと案内する開閉扉３２と、該開閉扉３２を開閉駆動する駆動手段３９とを含む可変入賞手段１５を前記遊技盤９に備えた弾球遊技機において、前記取り付け板１９の前記開口３１の周辺に光透過部４２ａ，４２ｂ，４２ｃを設け、前記可変入賞口４０の奥に前記開口３１に対向して配置された奥壁３４を光透過性部材により構成し、前記光透過部４２ａ，４２ｂ，４２ｃ及び前記奥壁３４の略全面に光を照射する発光体３６が装着された発光基板３７を前記奥壁３４の裏側に配置したものである。
【発明の効果】
【０００９】
本発明によれば、可変入賞口４０の奥壁３４及び取り付け板１９の可変入賞口４０の周辺部分を発光させることができ、きらびやかさに優れた視覚的な演出効果を期待できると共に、可変入賞口４０の内部の照明効果も向上する利点がある。
【図面の簡単な説明】
【００１０】
【図１】本発明の第１の実施例を示すパチンコ機の斜視図である。
【図２】同遊技盤の正面図である。
【図３】同可変入賞手段側の正面図である。
【図４】同可変入賞手段側の縦断側面図である。
【図５】同可変入賞手段側の横断平面図である。
【図６】同可変入賞手段側の縦断平面図である。
【図７】同可変入賞手段側の縦断側面図である。
【図８】同可変入賞手段側の縦断側面図である。
【図９】同可変入賞手段の縦断正面図である。
【図１０】同可変入賞手段の分解斜視図である。
【図１１】本発明の第２の実施例を示す可変入賞手段側の横断平面図である。
【図１２】同可変入賞手段側の縦断側面図である。
【図１３】本発明の第３の実施例を示す可変入賞手段側の縦断平面図である。
【図１４】本発明の第４の実施例を示す可変入賞手段側の正面図である。
【発明を実施するための形態】
【００１１】
以下、本発明の実施例を図面に基づいて詳述する。図１〜図１０は本発明をパチンコ機に採用した第１の実施例を例示している。図１において、遊技機本体１は、矩形状の外枠２と、この外枠２の前側に縦軸廻りに開閉自在に枢着された前枠３とを備えている。前枠３の前側にはガラス扉４と前面板５とが上下に配置され、前枠３に対して縦軸廻りに開閉自在に枢支されている。
【００１２】
前面板５の前側には発射用の遊技球を貯留する上皿６が、前面板５の下側で前枠３の前側には余剰球等を貯留する下皿７が夫々配置されている。下皿７の一側には、遊技球を発射する発射手段（図示省略）の発射ハンドル８が設けられている。ガラス扉４の裏側には、このガラス扉４に対応するように前枠３に遊技盤９が着脱自在に装着されている。
【００１３】
遊技盤９の前面には、図２に示すように、発射手段から発射された遊技球を案内するガイドレール１０が略円弧状に配設されると共に、そのガイドレール１０の内側の遊技領域１１に可変表示手段１２、普通図柄始動手段１３、特別図柄始動手段１４、可変入賞手段１５、普通入賞手段１６等の各種遊技部品が配置されている。
【００１４】
可変表示手段１２は例えば遊技領域１１の略中央に配置されており、遊技盤９に前面側から装着された表示ケース１７と、この表示ケース１７の略中央に配置された例えば液晶式の可変表示部１８とを備えている。表示ケース１７には、普通図柄表示手段２１、普通保留個数表示手段２２、特別図柄表示手段２３、特別保留個数表示手段２４等が設けられている。可変表示部１８は各種動画、静止画等を表示可能であり、演出表示手段２５を構成している。
【００１５】
普通図柄表示手段２１は普通図柄を変動表示するためのもので、複数種類の普通図柄（例えば２種類の「○」「×」）に対応する複数個の発光手段により構成されており、普通図柄始動手段１３が遊技球を検出することを条件に２つの発光手段が交互に点灯するように所定時間点滅して、普通図柄始動手段１３の遊技球の検出時に取得された当たり判定用乱数値が予め定められた当たり判定値と一致した場合には当たり態様の「○」側の発光手段が点灯し、それ以外の場合には外れ態様の「×」側の発光手段が点灯して停止するようになっている。
【００１６】
特別図柄表示手段２３は１個又は複数個、例えば１個の特別図柄を変動表示可能な７セグメント式等の表示手段により構成されており、特別図柄始動手段１４が遊技球を検出することを条件に特別図柄を所定時間変動表示して、特別図柄始動手段１４の遊技球の検出時に取得された大当たり判定乱数値が予め定められた大当たり判定値と一致した場合には所定の大当たり態様で、それ以外の場合には外れ態様で停止するようになっている。
【００１７】
演出表示手段２５は、特別図柄表示手段２３による特別図柄の変動表示と時間的に同調して演出表示を行うもので、例えば左右方向に３個並べられた演出図柄２６と、その演出図柄２６の背景に表示される演出画像２７とを表示可能に構成されており、演出図柄２６及び演出画像２７の変動表示を、所定の演出パターンに従って特別図柄の変動開始と同時に開始させ、特別図柄の変動終了と同時に終了させるようになっている。
【００１８】
なお、演出図柄２６の変動後の停止図柄は、特別図柄表示手段２３による特別図柄が大当たり態様で停止する場合にはその特別図柄と同じ図柄の大当たり態様となり、特別図柄が外れ態様で停止する場合には任意の外れ態様となる。例えば、特別図柄が「７」で停止する場合には演出図柄２６は「７・７・７」で停止し、特別図柄が「−」で停止する場合には演出図柄２６は「３・４・５」等の任意の外れ態様で停止するようになっている。
【００１９】
普通図柄始動手段１３は可変表示手段１２の側方に配置されている。特別図柄始動手段１４は、固定式入賞手段２８と、普通図柄表示手段２１が変動後に当たり態様で停止したときに所定時間開放する電動チューリップ等の可変式入賞手段２９とを上下に備え、可変表示手段１２の下側に配置されている。
【００２０】
なお、特別図柄始動手段１４は固定式入賞手段２８と可変式入賞手段２９の何れに遊技球が入賞しても、特別図柄表示手段２３の特別図柄が変動するようになっている。また特別図柄始動手段１４は遊技盤９の前面側から遊技球が入賞し、その遊技球を遊技盤９の裏側に排出するようになっている。
【００２１】
可変入賞手段１５はアタッカーと云われる大入賞口手段を構成するためのもので、遊技領域１１の下部で特別図柄始動手段１４の下側に配置され、後述のように構成されている。なお、普通入賞手段１６は可変入賞手段１５の左右両側方、その他の適当箇所に複数配置されている。
【００２２】
可変入賞手段１５は、図３〜図１０に示すように、遊技盤９の前面側に当接してネジ等で着脱自在に固定される飾り板兼用の取り付け板１９と、この取り付け板１９から後方に突出し且つ遊技盤９の装着孔に嵌合する入賞ケース２０と、入賞ケース２０内に形成され且つ前面側が開口する可変入賞口４０と、左右方向の枢軸３０廻りに可変入賞口４０の開口３１を開閉し且つ開放時に遊技球を可変入賞口４０へと案内する開閉扉３２と、可変入賞口４０に入賞した遊技球を遊技盤９の裏側に排出する排出口３３と、開口３１に対応して可変入賞口４０の奥に配置された奥壁３４と、可変入賞口４０に入賞した遊技球を検出する入賞検出スイッチ３５と、前面側に多数（複数）のＬＥＤ等の発光体３６が装着され且つ奥壁３４の裏側に配置された発光基板３７と、発光基板３７よりも後方に配置され且つ連動手段３８を介して開閉扉３２を開閉駆動する駆動ソレノイド（駆動手段）３９とを備えている。
【００２３】
取り付け板１９は透明又は半透明の合成樹脂材料により構成されており、光透過性を有する。そして、この取り付け板１９には、図３〜図８に示すように、可変入賞口４０の前面側の開口３１が横長矩形状に形成されると共に、この開口３１を取り囲む横長矩形状の周壁４１が裏側に一体に形成されている。周壁４１は左右の側壁４１ａ，４１ｂ及び上下の上・下壁４１ｃ，４１ｄを有し、その側壁４１ａ，４１ｂ及び下壁４１ｄは開口３１の左右の側縁及び下縁との間に所定の間隔を置いて配置され、その間の部分が可変入賞口４０の周辺近傍の光透過部４２ａ，４２ｂ，４２ｃとなっている。
【００２４】
入賞ケース２０は図４〜図１０に示すように、可変入賞口４０に対応して横長矩形状であり、取り付け板１９の裏側の周壁４１と、取り付けボス４３、取り付け部４４及びネジを介して周壁４１の裏側に着脱自在に結合されたケース体４６と、取り付けボス４７、取り付け部４８及びネジを介してケース体４６の裏側に着脱自在に結合された裏カバー４９とから構成されている。ケース体４６及び裏カバー４９は、取り付け板１９側の周壁４１と同様に透明又は半透明の合成樹脂材料により構成されており、光透過性を有する。
【００２５】
なお、裏カバー４９は光透過性を有する必要はなく、不透明な合成樹脂材料等により構成してもよい。
【００２６】
取り付け板１９側の周壁４１は、上壁４１ｃ及び下壁４１ｄが短く、側壁４１ａ，４１ｂが上・下壁４１ｃ，４１ｄよりも後方に長く突出している。ケース体４６は、図４〜図１０に示すように、周壁４１の上・下壁４１ｃ，４１ｄに後方から当接する上・下壁５０ｃ，５０ｄと、周壁４１の左右の側壁４１ａ，４１ｂの内側近傍で上・下壁５０ｃ，５０ｄの左右両端を上下に連結する左右の外側壁５０ａ，５０ｂと、前後方向の中間よりも後方寄りの中間で上・下壁５０ｃ，５０ｄ及び外側壁５０ａ，５０ｂを連結する奥壁３４と、奥壁３４の前側で上・下壁５０ｃ，５０ｄ及び奥壁３４を連結する内側壁５０ｅ，５０ｆと、この左右の内側壁５０ｅ，５０ｆ及び奥壁３４を連結し且つ光透過部４２ａ，４２ｂ，４２ｃの裏側に対応する底壁５０ｇとを有し、上壁５０ｃ、内側壁５０ｅ，５０ｆ及び底壁５０ｇに取り囲まれた部分が、開口３１から後方へと凹入する横長矩形状空間の可変入賞口４０となっている。
【００２７】
開閉扉３２は透明又は半透明の合成樹脂材料により構成されており、光透過性を有する。また開閉扉３２は開口３１内に嵌合する大きさの横長矩形状であって、左右両側の下部側で枢軸３０により枢支され、開口３１を閉じる閉位置（図６の実線状態）と、前上がりに傾斜して開口３１を開放する開位置（図６の二点鎖線状態）との間で開閉自在である。開閉扉３２には左右両端に遊技球の案内兼用の補強リブ３２ａが設けられている。枢軸３０は一端部が開閉扉３２に挿入され、他端部が取り付け板１９の軸受部５２とケース体４６に軸押え部５３との間で保持されている。
【００２８】
内側壁５０ｅ，５０ｆは枢軸３０の一端近傍に対応して配置され、この内側壁５０ｅ，５０ｆの外側近傍に奥壁３４から前方に突出する軸押え部５３が一体に設けられている。なお、開閉扉３２は取り付け板１９、入賞ケース２０に対して開閉自在であればよい。
【００２９】
底壁５０ｇは開放状態の開閉扉３２により案内される遊技球を受け取り可能な高さにあり、この底壁５０ｇの上面は可変入賞口４０に入賞した遊技球を左右方向の一端側へと案内する傾斜案内通路５４となっている。傾斜案内通路５４の下流側端部の奥壁３４には、傾斜案内通路５４からの遊技球を排出口３３へと案内する排出案内通路５５が奥壁３４を貫通して後方に突設されている。排出案内通路５５は入賞検出スイッチ３５を挟んでその裏側の排出口３３に連通している。
【００３０】
発光基板３７は奥壁３４の裏側でケース体４６内に配置されており、可変入賞口４０の裏側を経て左右の光透過部４２ａ，４２ｂの両端間に跨がる左右長さと、可変入賞口４０の開口３１の上端近傍から下側の光透過部４２ｃの下端に跨がる上下幅とを有する略矩形状であり、この発光基板３７には排出案内通路５５、連動手段３８に対応して夫々切り欠き部３７ａ，３７ｂが形成されている。
【００３１】
発光基板３７には、上部側と下部側とに左右方向の列状に発光体３６が装着されている。上側に配列された発光体３６は開口３１の上下方向の略中央近傍の高さに、下側に配列された発光体３６は下側の光透過部４２ｃの高さに夫々対応している。そして、上側に配列された発光体３６の内、その左右両端の発光体３６は左右の光透過部４２ａ，４２ｂの上部に、中間の発光体３６は開口３１の奥の奥壁３４に夫々対応する。
【００３２】
下側に配列された発光体３６は光透過部４２ｃと光透過部４２ａ，４２ｂの下端部とに対応して配置されている。また下側に配列された発光体３６相互間の間隔は、開状態にある開閉扉３２の基部側、光透過部４２ｃ及び光透過部４２ａ，４２ｂの下端部に対して十分に光を照射し得るように、上側に配列された発光体３６相互間の間隔よりも小さくなっている。
【００３３】
なお、発光基板３７の発光体３６は上下二列に配列しているが、３列以上に配置してもよいし、上部側及び下部側に左右方向に千鳥状、その他の配列で配置してもよい。
【００３４】
入賞ケース２０の内、その裏カバー４９は遊技盤９の装着孔５７から裏側に突出している。この裏カバー４９は前後方向に偏平状であって、発光基板３７、入賞検出スイッチ３５を覆うようにケース体４６の裏側に着脱自在に装着されている。裏カバー４９には図５、図６、図８、図１０に示すようにスイッチ保持部５９、排出口３３、ソレノイド保持部６０が形成され、そのスイッチ保持部５９に入賞検出スイッチ３５が、ソレノイド保持部６０に駆動ソレノイド３９が夫々保持されている。
【００３５】
入賞検出スイッチ３５は偏平な矩形状のスイッチ本体３５ａと、このスイッチ本体３５ａの長手方向の一端側に偏平方向に貫通して形成された通過孔３５ｂを有し、その通過孔３５ｂが前後の排出案内通路５５及び排出口３３と一致するように、左右方向の一端側からスイッチ保持部５９に挿脱自在に挿入されている。排出口３３は裏カバー４９の後壁４９ａから後方に突出する通路壁６１内に形成され、排出案内通路５５からの遊技球をその下側から下方へと落下させるようになっている。
【００３６】
ソレノイド保持部６０は通路壁６１と左右方向の反対側にあり、裏カバー４９の後壁４９ａから後方に突出する角筒状に構成されている。そして、このソレノイド保持部６０に駆動ソレノイド３９が後方から着脱自在に挿入され、前端側が位置決め部６０ａに当接してネジ等の適宜固定手段により固定されている。
【００３７】
駆動ソレノイド３９は図５、図８〜図１０に示すように、前後方向に作動する可動鉄心６２を備えている。可動鉄心６２はバネ６３により前方側に付勢されると共に、連動手段３８を介して開閉扉３２に連動連結されている。連動手段３８は、発光基板３７の切り欠き部３７ｂを経て前後方向に配置された連動部材６４を有する。切り欠き部３７ｂは発光基板３７の下部にその下端縁から上側へと凹入状に形成されており、排出案内通路５５側の切り欠き部３７ａに比較して小さいものとなっている。
【００３８】
連動部材６４は図５、図８、図１０に示すように、発光基板３７の切り欠き部３７ｂ及び奥壁３４の縦長孔３４ａを経て下壁５０ｄの近傍で前後方向に設けられた棒状部６４ａと、この棒状部６４ａの後端から上側へと起立し且つ上端から後下側へと屈曲する逆Ｊ字状、逆Ｕ字状等の起立屈曲状の被係合部６４ｂと、棒状部６４ａの前端から上前へと屈曲し突出する係合部６４ｃとを有し、棒状部６４ａの後端側で駆動ソレノイド３９の可動鉄心６２よりも下側に配置された左右方向の支軸６６により入賞ケース２０に揺動自在に枢支されている。なお、連動部材６４は透明又は半透明の合成樹脂材料により構成されており、光透過性を有する。
【００３９】
連動部材６４の後端の被係合部６４ｂは、その後側の可動鉄心６２の前端の鍔状の係合部６２ａが適宜遊びを持って係合しており、可動鉄心６２が前後方向に作動したときに、連動部材６４が支軸６６廻りに揺動するようになっている。連動部材６４の前端の係合部６４ｃは、開閉扉３２の一方の補強リブ３２ａの基部側後部に設けられた上下方向に二股状の被係合部３２ｂに係合し、支軸６６廻りに上側に揺動したときに被係合部３２ｂを介して開閉扉３２を開状態へと開放させるようになっている。
【００４０】
支軸６６は連動部材６４の左右両側に突出しており、裏カバー４９側の軸受部６８と保持部材６９の軸押え部６９ａとの間で回動自在に保持されている。保持部材６９は被係合部６４ｂの前側に配置されており、その一端が裏カバー４９の後壁４９ａの係止部４９ｂに着脱自在に係止され、他端がケース体４６と裏カバー４９との間に挟持されている。
【００４１】
連動部材６４は開口３１の側縁を挟んでその左右両側に近接して配置された内側壁５０ｅと軸押え部５３との間に前後方向に配置されている。なお、可動鉄心６２がバネ６３により前側に付勢されているため、通常は被係合部６４ｂが保持部材６９に裏側から当接している。また開閉扉３２は基部側のストッパー部３２ｄが開口３１の下縁で取り付け板１９に当接して閉状態に保持されている。
【００４２】
裏カバー４９の左右方向の略中央上部には、図７、図１０に示すように、その特別図柄始動手段１４の排出口の下方に対応する案内部７２が設けられている。この案内部７２は後端が裏カバー４９の後壁４９ａから後方に突出する後下がりに傾斜状に形成され、遊技盤９の裏側へと誘導されて特別図柄始動手段１４から落下する遊技球を後ろ下方へと案内するようになっている。また裏カバー４９の後壁４９ａには、案内部７２の下側にハーネス（図示省略）用の取り出し口７３が形成され、この取り出し口７３から、発光基板３７に接続されたハーネスを取り出すようになっている。
【００４３】
取り付け板１９の光透過部４２ａ，４２ｂ，４２ｃの裏面、奥壁３４の裏面には、発光体３６が発光しない状態のときに裏側を透視できないようにし、また発光体３６が発光したときにその光を乱反射して発光するように、凹凸模様、梨子地模様等の乱反射部が設けられている。
【００４４】
なお、奥壁３４側の光透過部４２ａ，４２ｂ，４２ｃに対応する部分に乱反射部を設ける場合には、光透過部４２ａ，４２ｂ，４２ｃの乱反射部は省略してもよい。また乱反射部は前面に設けてもよい。
【００４５】
開閉扉３２の前面に縦方向の突条を左右方向に多数形成するか、凹凸模様、梨子地模様等の乱反射部を形成して、開閉扉３２が閉位置にあるときには可変入賞口４０の内部を透視できないようにし、また発光体３６が発光したときにその光を乱反射して発光するようにしてもよい。
【００４６】
上記構成のパチンコ機では、特別図柄始動手段１４が遊技球の入賞を検出すると、特別図柄表示手段２３の特別図柄が所定時間変動して、その変動後に大当たり態様、外れ態様の何れかで停止する。
【００４７】
また特別図柄始動手段１４に入賞した遊技球は、遊技盤９の裏側で特別図柄始動手段１４から落下した後、可変入賞手段１５の案内部７２により後下側へと案内される。従って、特別図柄始動手段１４から落下した遊技球が可変入賞手段１５の入賞ケース２０上で滞留する等の問題もない。
【００４８】
また案内部７２の下側にハーネスの取り出し口７３があるため、この取り出し口７３を経て取り出したハーネスを裏カバー４９の後壁４９ａに沿って配線する等すれば、上方から落下する遊技球がハーネスと干渉する等の問題もない。
【００４９】
可変入賞手段１５では、通常、駆動ソレノイド３９の可動鉄心６２がバネ６３により前方へと付勢されているため、その開閉扉３２が連動手段３８を介して閉位置に保持されている。そして、変動後の特別図柄が大当たり態様で停止すると、駆動ソレノイド３９が励磁して可動鉄心６２がバネ６３に抗して後方へと作動する。これによって連動手段３８の連動部材６４が支軸６６廻りに後方（８図のａ矢示方向）に揺動するため、開閉扉３２が枢軸３０廻りに前方へと開位置まで回動して可変入賞口４０を開放する。
【００５０】
開閉扉３２が開位置になると、遊技盤９の前面に沿って開閉扉３２上に落下する遊技球は、この開閉扉３２によって可変入賞口４０へと案内されるため、可変入賞口４０に遊技球が入賞し易くなる。可変入賞口４０に入賞した遊技球は、傾斜案内通路５４を経て排出案内通路５５側へと集められた後、排出案内通路５５から後方の排出口３３を経て遊技盤９の裏側へと排出されて行く。また入賞した遊技球が排出口３３から排出されるときに、入賞検出スイッチ３５がその遊技球を検出して、計数手段により入賞個数を計数する。
【００５１】
なお、開閉扉３２は可変入賞口４０に所定数の遊技球が入賞するか所定時間が経過すると、駆動ソレノイド３９が消磁して、開閉扉３２が枢軸３０廻りに閉位置へと閉じる。
【００５２】
一方、例えば開閉扉３２が可変入賞口４０を開放すれば、図外の演出制御基板からの制御により、可変入賞口４０の開放時間中、発光基板３７の各発光体３６が発光して光を奥壁３４に対して裏側から照射する。このため、奥壁３４の略全面が発光すると同時に、その発光によって可変入賞口４０の内部を照明し、また開放状態にある開閉扉３２、及び取り付け板１９の開口３１の周辺部の光透過部４２ａ，４２ｂ，４２ｃを裏側から照明して発光させることができる。従って、発光体３６が発光した場合には、可変入賞手段１５自体が非常にきらびやかなものとなり、視覚的な演出効果がより向上する。
【００５３】
また特に奥壁３４の可変入賞口４０に対応する部分を発光させて可変入賞口４０の内部を照明するだけに止まらず、開閉扉３２、取り付け板１９の開口３１周辺部分を含む広い領域を明るく発光させることができる。このため発光体３６の発光時の視覚的な演出効果は、従来に比較して著しく向上する。
【００５４】
発光基板３７の前後に跨がって連動手段３８、取り分けその連動手段３８を構成する連動部材６４があるが、その連動部材６４を発光基板３７の下部側に配置し、これに対応して発光基板３７に切り欠き部３７ｂを形成しているので、発光体３６の配置に支障を来さないように切り欠き部３７ｂの大きさを小さくでき、また連動部材６４が取り付け板１９の前面側の発光、照明等の障害となることもない。
【００５５】
図１１、図１２は本発明の第２の実施例を例示する。この実施例では、可変入賞口４０の開口３１に対応する部分に奥壁３４が設けられており、取り付け板１９の光透過部４２ａ，４２ｂ，４２ｃに対応する部分には奥壁３４が設けられていない。その他の構成は、第１の実施例と同様である。
【００５６】
この場合には、光透過部４２ａ，４２ｂ，４２ｃに対応する発光体３６からの光は、光透過部４２ａ，４２ｂ，４２ｃの裏面に直接照射して乱反射部で乱反射する。従って、前述と同様に開口３１の周辺で取り付け板１９を発光させることができる。
【００５７】
図１３は本発明の第３の実施例を例示する。この実施例では、取り付け板１９の開口３１の上側にも光透過部４２ｄが設けられ、この光透過部４２ｄに対応して発光基板３７に発光体３６が装着されている。即ち、取り付け板１９の開口３１の上縁と周壁４１の上壁４１ｃとの間に所定の間隔があり、その部分が上側の光透過部４２ｄとなっている。なお、この光透過部４２ｄにも他の光透過部４２ａ，４２ｂ，４２ｃと同様に乱反射部が設けられている。
【００５８】
この場合には、取り付け板１９の開口３１を取り囲む全周に光透過部４２ａ，４２ｂ，４２ｃ，４２ｄがあり、発光体３６の発光により、開口３１の外周側の全周を発光させることができる。
【００５９】
図１４は本発明の第４の実施例を例示する。この実施例では、取り付け板１９の前面に、装飾シート７５が貼着されている。装飾シート７５は光を透過しない非透過性の装飾シール等により構成され、開口３１及び光透過部４２ａ，４２ｂ，４２ｃに対応する切り欠き開口７５ａが形成されている。従って、装飾シート７５は開口３１及び光透過部４２ａ，４２ｂ，４２ｃを取り囲むように取り付け板１９の前面に装着されている。なお、装飾シート７５は斜線が付された部分であり、その切り欠き開口７５ａは装着孔５７よりも小さくなっている。
【００６０】
このようにすれば、取り付け板１９を光透過性を有する合成樹脂等で構成しているにも拘らず、取り付け板１９の前面側の装飾性が向上し、またこの装飾シート７５により光透過部４２ａ，４２ｂ，４２ｃとの境界が明瞭になるため、発光体３６の発光時に、光透過部４２ａ，４２ｂ，４２ｃをより明瞭に発光させることができる。
【００６１】
以上、本発明の実施例について詳述したが、本発明はこの実施例に限定されるものではなく、本発明の趣旨を逸脱しない範囲で種々の変更が可能である。例えば、実施例では、発光基板３７に装着された各発光体３６は同時に発光し、可変入賞口４０が開放する毎にその開放時間中は連続的に発光して、開閉扉３２が閉じれば同時に消灯するものとして説明したが、各発光体３６は可変入賞口４０の開放直前、開放と同時又は開放直後に同時に又は時間差を置いて順次発光してもよい。
【００６２】
また可変入賞口４０の開放中に開口３１に対応する発光体３６が連続発光又は同期して点滅発光し、外周の光透過部４２ａ，４２ｂ，４２ｃに対応する発光体３６が同期して点滅発光又は連続発光する等、開口３１に対応する発光体３６と光透過部４２ａ，４２ｂ，４２ｃに対応する発光体３６とが異なる発光パターンで発光するようにしてもよい。
【００６３】
更に開口３１に対応する発光体３６、外周の光透過部４２ａ，４２ｂ，４２ｃに対応する発光体３６は、発光位置が移動するように所定の発光パターンで順次点滅発光してもよい。また開閉扉３２が光透過性を有するので、開閉扉３２が閉状態にある場合でも、遊技盤９側の遊技条件にて設定された所定の発光条件を充足したときに各発光体３６が発光するようにしてもよい。
【００６４】
また実施例では、周壁４１を有する取り付け板１９、ケース体４６、開閉扉３２、連動手段３８等を光透過性を有する合成樹脂材料により構成しているが、少なくとも奥壁３４及び光透過部４２ａ，４２ｂ，４２ｃを光透過性を有する材料により構成し、他を光透過性を有しない材料により構成してもよい。また奥壁３４は多数の光透過孔を有する光透過性部材により構成することも可能である。従って、奥壁３４の材料自体が透明等である必要はない。
【００６５】
開閉扉３２を開閉駆動する駆動手段は、駆動ソレノイド３９以外のものを使用してもよい。入賞検出スイッチ３５は、駆動手段３９、連動手段３８等と異なる位置に配置すればよい。また光透過性を有する合成樹脂材料により取り付け板１９を構成する場合、開口３１の周縁部を除く部分に不透明な塗料を塗工し、又は不透明な粘着シートを貼着してもよい。発光体３６はＬＥＤ以外のものでもよい。その他、本発明はアレンジボール機、雀球遊技機等の他の弾球遊技機においても同様に実施可能であることは言うまでもない。
【符号の説明】
【００６６】
９  遊技盤
１５  可変入賞手段
１９  取り付け板
３１  開口
３２  開閉扉
３２ｂ  被係合部
３４  奥壁
３６  発光体
３７  発光基板
３７ｂ  切り欠き部
３８  連動手段
３９  駆動ソレノイド（駆動手段）
４０  可変入賞口
４２ａ，４２ｂ，４２ｃ  光透過部
４９  裏カバー
４９ａ  後壁
５０ｇ  底壁
６２  可動鉄心
６４  連動部材
６４ｂ  被係合部
６４ｃ  係合部
６６  支軸
７２  案内部
７３  取り出し口
【図１】
2011131099.tif 000003
【図２】
2011131099.tif 000004
【図３】
2011131099.tif 000005
【図４】
2011131099.tif 000006
【図５】
2011131099.tif 000007
【図６】
2011131099.tif 000008
【図７】
2011131099.tif 000009
【図８】
2011131099.tif 000010
【図９】
2011131099.tif 000011
【図１０】
2011131099.tif 000012
【図１１】
2011131099.tif 000013
【図１２】
2011131099.tif 000014
【図１３】
2011131099.tif 000015
【図１４】
2011131099.tif 000016
【手続補正書】
【提出日】平成23年4月18日(2011.4.18)
【手続補正１】
【補正対象書類名】特許請求の範囲
【補正対象項目名】全文
【補正方法】変更
【補正の内容】
【特許請求の範囲】
【請求項１】
遊技盤の前面に当接する取り付け板と、該取り付け板に形成された開口を有する可変入賞口と、前記開口を開閉し且つ開放時に遊技球を前記可変入賞口へと案内する開閉扉とを含む可変入賞手段を前記遊技盤に備えた弾球遊技機において、前記開口の左右両端よりも左右方向の内側で前記開閉扉の左右両端部の後方に配置された左右一対の側壁を備え、該各側壁と、前記可変入賞口の奥に該可変入賞口に対向して配置された奥壁とを光透過性部材により構成し、前記奥壁に後方から光を照射し且つ該奥壁を介して前記側壁に光を照射するための発光体が装着された発光基板を前記奥壁の裏側に配置したことを特徴とする弾球遊技機。
【手続補正２】
【補正対象書類名】明細書
【補正対象項目名】０００７
【補正方法】変更
【補正の内容】
【０００７】
本発明は、このような従来の問題点に鑑み、きらびやかさに優れた視覚的な演出効果を期待できると共に、可変入賞口の内部の照明効果も向上する可変入賞手段を備えた弾球遊技機を提供することを目的とする。
【手続補正３】
【補正対象書類名】明細書
【補正対象項目名】０００８
【補正方法】変更
【補正の内容】
【０００８】
本発明は、遊技盤の前面に当接する取り付け板と、該取り付け板に形成された開口を有する可変入賞口と、前記開口を開閉し且つ開放時に遊技球を前記可変入賞口へと案内する開閉扉とを含む可変入賞手段を前記遊技盤に備えた弾球遊技機において、前記開口の左右両端よりも左右方向の内側で前記開閉扉の左右両端部の後方に配置された左右一対の側壁を備え、該各側壁と、前記可変入賞口の奥に該可変入賞口に対向して配置された奥壁とを光透過性部材により構成し、前記奥壁に後方から光を照射し且つ該奥壁を介して前記側壁に光を照射するための発光体が装着された発光基板を前記奥壁の裏側に配置したものである。
【手続補正４】
【補正対象書類名】明細書
【補正対象項目名】０００９
【補正方法】変更
【補正の内容】
【０００９】
本発明によれば、きらびやかさに優れた視覚的な演出効果を期待できると共に、可変入賞口の内部の照明効果も向上する利点がある。
【手続補正５】
【補正対象書類名】図面
【補正対象項目名】図３
【補正方法】変更
【補正の内容】
【図３】
2011131099.tif 000017
【手続補正６】
【補正対象書類名】図面
【補正対象項目名】図１４
【補正方法】変更
【補正の内容】
【図１４】
2011131099.tif 000018